(57)【要約】      （修正有）【課題】扇風機からの風を効率良く利用し、複数人が同時に連続した風を受けて涼を取ることができると同時に、様々な形状の扇風機の前面保護カバーに容易に取り付け可能であり、また、取り付け位置を変えることで、風向き調整が容易に行える扇風機用気流制御装置を提供する。【解決手段】複数の貫通穴である導流路４ａ、４ｂ、４ｃ等を設けた扇風機用気流制御装置であって、ひとつの軸方向に配列された導流路は、気流の排出方向に沿って広がるような傾角を持って配置されている。また、気流の流入面には、取付け用のフック７、８ａ、８ｂ等が適切な位置に設けられている。【選択図】図１
0003179067.tif 000002
【実用新案登録請求の範囲】
【請求項１】
気流を導く流入面と、気流を排出する排出面とを有する扇風機用気流制御装置であって、
上記流入面から排出面に通じる複数の貫通穴である複数の導流路と、
上記流入面に設けられた複数の取付け用フックと、
を有し、
上記複数の導流路は、気流が流れる方向に略直交した面内の任意の直交する２軸であるＡ軸及びＢ軸のそれぞれの軸方向に沿って複数が結合され、
上記Ａ軸方向に沿って結合された複数の導流路は、その気流を導く方向が流入面から排出面に向かって開くように所定の角度を持って形成され、
上記複数の取付け用フックの内のひとつのフックは、上記Ａ軸方向の一端に設けられ、
上記複数の取付け用フックの内の他のふたつのフックは、上記Ｂ軸方向の一端にふたつが、または上記Ｂ軸方向の両端のそれぞれに各ひとつが設けられた、
ことを特徴とする扇風機用気流制御装置。
【請求項２】
上記複数の取付け用フックの内の他のふたつのフックは、上記Ａ軸方向において当該扇風機用気流制御装置の略中央であって且つＢ軸方向の両端のそれぞれに各ひとつが設けられた、
ことを特徴とする請求項１に記載の扇風機用気流制御装置。
【考案の詳細な説明】
【技術分野】
【０００１】
本考案は、扇風機から風の流れを制御する装置に関するものである。
【背景技術】
【０００２】
羽根車が回転することで、人に向けて風を送ることが出来る扇風機は、家庭や職場において手軽に涼を得る機器として広く用いられている。そして、家族が居間でくつろぐ際には、首振り機構により、家族全員に風を送ることが出来る。しかし、首振り機構により風を送る場合、それぞれの人には間欠的にしか風が送られないため、十分な涼を取ることができず、扇風機が送る風を有効に利用できているとは言えなかった。
【０００３】
また、円弧面を持つ導流板を扇風機の羽根車の軸心からずれる側辺のエア吹出面に配し、この円弧面により気流が外側にガイドされることで、扇風機による気流の送り可能な角度を拡大するものが提案されている（例えば、特許文献１）。このような導流板を用いることで、扇風機からの風の方向を異なる方向に分割して利用することができるため、同時に複数人が涼を取ることが可能である。
【先行技術文献】
【特許文献】
【０００４】
【特許文献１】実用新案登録第３１６５６０５号
【考案の概要】
【考案が解決しようとする課題】
【０００５】
しかし、特許文献１に開示された導流板においては、導流板に当たるわずかな風の方向しか変えることができず、扇風機の正面方向以外の方向には、十分な風を送ることができなかった。さらに、この導流板は係合ブロックにより扇風機の前面保護カバーに取り付けられるため、取り付けられる扇風機の形状が限られ、汎用性に乏しかった。また、扇風機の前面保護カバーの決まった所定位置にしか取り付けられないため、風を送る方向を調整することができなかった。
【０００６】
この考案は上記問題点を解決するためになされたもので、扇風機が作り出す前方への風について、一部の風の方向を効率良く変えることができるため、複数人が扇風機からの風を連続的に受けることが可能であり、効果的に涼を取ることができる扇風機用気流制御装置を提供するものである。
【課題を解決するための手段】
【０００７】
この考案に係る気流を導く流入面と、気流を排出する排出面を有する扇風機用気流制御装置は、流入面から排出面に通じる複数の貫通穴である複数の導流路と、流入面に設けられた複数の取付け用フックと、を有し、複数の導流路は、気流が流れる方向に略直交した面内の任意の直交する２軸であるＡ軸及びＢ軸のそれぞれの軸方向に沿って複数が結合され、Ａ軸方向に沿って結合された複数の導流路は、その気流を導く方向が流入面から排出面に向かって開くように所定の角度を持って形成され、複数の取付け用フックの内のひとつのフックは、上記Ａ軸方向の一端に設けられ、複数の取付け用フックの内のふたつのフックは、Ｂ軸方向の一端にふたつが、またはＢ軸方向の両端のそれぞれに各ひとつが設けられたことを特徴とするものである。
【０００８】
特に、複数の取付け用フックの内のふたつのフックは、Ａ軸方向の略中央であって且つＢ軸方向の両端のそれぞれに各ひとつが設けられたことを特徴とするものである。
【考案の効果】
【０００９】
この考案に係る扇風機用気流制御装置においては、扇風機が作り出す前方への風について、一部の風の方向を効率良く変えることができるため、複数人が扇風機からの風を連続的に受けることが可能であり、効果的に涼を取ることができる。
【００１０】
また、扇風機の前面保護カバーの形状に依らずに簡単に取り付け可能であるため、扇風機の専用の付属品としてだけでなく、一般の扇風機に広く取り付け可能な汎用品として、個別の商品として販売等を行うことができる。
さらに、取り付け位置を簡易且つ自由に変えることができるため、風を送る方向の微調整が容易であり、極めて簡単な操作で、風を受ける人の座る位置等に応じた最適な送風方向を設定できるという、優れた効果を有する。
【図面の簡単な説明】
【００１１】
【図１】本考案に係る扇風機用気流制御装置の斜視図である。
【図２】本考案に係る扇風機用気流制御装置の（ａ）取付け面から見た図、（ｂ）気流の流出方向から見た図、および（ｃ）側面図である。
【図３】本考案に係る扇風機用気流制御装置に関し、扇風機の前面保護カバー上への取り付け位置を説明する図である。
【図４】本考案に係る扇風機用気流制御装置を扇風機の前面保護カバー上に取り付けた状態を表す模式図である。
【図５】本考案に係る扇風機用気流制御装置の効果を示す図である。
【図６】本考案の実施の形態２に係る扇風機用気流制御装置の（ａ）取付け面から見た図、（ｂ）送風方向から見た図、および（ｃ）側面図である。
【図７】本考案の実施の形態２に係る扇風機用気流制御装置に関し、扇風機の前面保護カバー上への取り付け位置を説明する図である。
【図８】本考案の実施の形態２に係る扇風機用気流制御装置に関し、扇風機の前面保護カバー上への異なる取り付け位置を説明する図である。
【考案を実施するための形態】
【００１２】
実施の形態１．
本考案の実施の形態１に係る扇風機用気流制御装置の構成について説明する。
図１および図２は、この考案に係る扇風機用気流制御装置１の構成を示している。図１は、扇風機用気流制御装置１の斜視図である。また、図２は、この扇風機用気流制御装置１を各方向から見た図であり、図２（ａ）は扇風機への取付け面、すなわち扇風機が生じる気流が流入する面から見た図、図２（ｂ）は気流が流出する面から見た図、また、図２（ｃ）は側方から見た図である。
【００１３】
扇風機用気流制御装置１は、第一の導流管２、第二の導流管３、第三の導流管４、第一の導流管２と第二の導流管３を結合する第一の結合部５、第二の導流管３と第三の導流管４を結合する第二の結合部６、上部フック７、および側面フック８ａ、８ｂを備えている。
【００１４】
第一の導流管２は、３つの導流路２ａ、２ｂおよび２ｃに分割されている。このように分割されている理由は、第一の導流管２を通過する扇風機からの風のすべてを、第一の導流管２の方向に沿って、方向を変えるためである。すなわち、このような分割がなされていない場合、第一の導流管２の中央近傍を通過する風の方向を効果的に変えることができない。
【００１５】
したがって、第一の導流管２を分割する構造は、図１および図２に示した構造に限るものではなく、第一の導流管２を横方向に分割する他の構造であって良い。例えば、導流路２ｂを導流路２ａと同様の円筒の管状形状にしても良い。また、第一の導流管２を３分割する２つの垂直の壁を設ける構造であっても良い。
【００１６】
第二の導流管３および第三の導流管４も、第一の導流管２と同様の構造を有し、第二の導流管３は３つの導流路３ａ、３ｂおよび３ｃに分割され、第三の導流管４は３つの導流路４ａ、４ｂおよび４ｃに分割されている。
【００１７】
そして、第一の導流管２と第二の導流管３は第一の結合部５によって結合され、第二の導流管３と第三の導流管４は第二の結合部６結合されている。この際、第一の導流管２と第二の導流管３は、その管内を風が通過する方向の角度が４°から８°程度の傾角を有して結合している。すなわち、気流の流入面から流出面に向かって、それぞれの導流管２と３が開くように傾きを持って結合される。また、第二の導流管３と第三の導流管４に関しても同様である。
【００１８】
このように所定の傾角を持って、３つの導流管２、３および４が結合されている理由は、例えば扇風機から２ｍ程度離れた位置にいる人の上半身全体に風を送るようにするためである。
【００１９】
第一の導流管２の気流の流入面、すなわち図２（ａ）における面の上部中央付近には、上部フック７が設けられている。また、第一の導流管２および第三の導流管４の気流の流入面の側方には、それぞれ側面フック８ａ、８ｂが設けられている。上部フック７および側面フック８ａ、８ｂは、図２（ａ）において、紙面垂直方向にたわむように弾性を有している。
【００２０】
次に、上記のような構成を有する扇風機用気流制御装置１を扇風機の前面保護カバーへの取付け方法について、図３および図４を用いて説明する。
なお、扇風機の前面保護カバーとしては、図３に示すように、中央から外側に向けて放射線状に延びた複数の梁から構成されるものが一般的である。
【００２１】
この扇風機の前面保護カバーの外形形状は、羽根車を収納するために、中央が膨らんだドーム状の形状を持っている。すなわち、図３において、前面保護カバーの中央が、紙面前方に膨らんだ形状となっている
したがって、図３におけるＣの位置に扇風機用気流制御装置１を取り付けた場合には、風は上方に流れ、図３におけるＤの位置に扇風機用気流制御装置１を取り付けた場合には、風は下方に流れてしまい、人のいる方向に風を流すことが出来ない。そこで、図３におけるＡあるいはＢの位置に扇風機用気流制御装置１を取り付けることが望ましい。
【００２２】
図４は、図３におけるＢの位置に扇風機用気流制御装置１を取り付けた様子を模式的に表している。扇風機の前面保護カバーの網に、上部フック７および側面フック８ａ、８ｂを引っかけることで、簡単に扇風機用気流制御装置１を取り付けることができる。
【００２３】
扇風機用気流制御装置１を実際に扇風機に取り付け、送風方向が変化することを吹き流しを用いた実験により確認した。その様子を図５に示す。
図５（ａ）は、扇風機用気流制御装置１を取り付ける前の扇風機からの送風方向を確認した写真である。風はほぼ前方に向いて流れていることが分かる。
【００２４】
一方、図３におけるＡおよびＢの位置に扇風機用気流制御装置１を取り付けた場合の風の流れは、図５（ｂ）から分かるように、Ａの位置では左方向に、Ｂの位置では右方向に風の流れが大きく偏向されている。したがって、扇風機の正面に位置する人だけではなく、扇風機の左右前方に位置する人に対しても、１台の扇風機で風を送ることができる。
【００２５】
実施の形態２．
本考案の実施の形態２に係る扇風機用気流制御装置１０の構成について説明する。実施の形態２に係る扇風機用気流制御装置と実施の形態１に係る扇風機用気流制御装置１０が構成上異なる点は、側面フックの位置である。その他の構成については同様であるため、説明を省略する。
【００２６】
図６に示すように、第二の導流管３の取付け面の両方の側方に側面フック９ａ、９ｂが設けられている。そして、側面フック９ａ、９ｂは、図６において、下方に引っかけ部が伸びており、扇風機の前面保護カバーの放射線状梁の内、水平方向に伸びた梁に上から掛けられるようになっている。この側面フック９ａ、９ｂおよび上部フック７を用いて、扇風機用気流制御装置１０を扇風機の前面保護カバーに取り付けた例を図７および図８に示す。
【００２７】
図７あるいは図８に示すように、側面フック９ａ、９ｂを扇風機の前面保護カバーの放射線状梁の内、水平方向に伸びた梁に掛けることができるため、その梁に沿って水平方向に任意の位置に扇風機用気流制御装置１０を動かすことができる。
【００２８】
したがって、扇風機の右前方あるいは左前方に位置する人に対して、効率よく風が送られるように、送風角度を簡単に最適化することができる。
【００２９】
なお、実施の形態１および実施の形態２における扇風機用気流制御装置１あるいは１０は、３つの導流管２、３および４を有する３段構成にしているが、２段構成あるいは４段構成等であっても良い。すなわち、扇風機に取り付けた状態において、縦に多段構成にし、各段を気流の流入面から流出面に向かって広がるように、４°から８°程度の傾角を有して結合させることで、適度に上下に広がった風を人に向けて送風することが可能になる。
【００３０】
さらに、各段の導流管は、その横方向に複数に分割された導流路を有している。したがって、扇風機用気流制御装置１あるいは１０は、縦横に分割された複数の導流路を有していることになる。このように、縦横に細かに導流路を分割することで、導流路の壁に沿った方向に、扇風機からの気流の方向を偏向させることが可能になる。
【００３１】
これら複数の導流路の形成方法は、実施の形態１に示したように、複数の導流路を持つ導流管２、３および４を結合させても良いし、縦横方向に貫通穴である複数の導流路を持つように、樹脂を成型した一体物であっても良い。本考案においては、製造方法は特にどんな方法であっても良く、結果として、実施の形態１や２に示した複数の貫通穴である導流路を持つ形状になれば良い。
【００３２】
以下に、本考案に係る扇風機用気流制御装置の特長についてまとめる。
本考案の実施の形態１および２に係る扇風機用気流制御装置は、上記のように構成したので、首振り機構を有しない扇風機であっても、複数人に対して同時に、且つ連続して効率よく送風が可能である。
【００３３】
特に、取付け時に縦方向に多段に構成され、且つ各段が横方向に分割された風洞を有するため、扇風機用気流制御装置を通過するすべての気流の方向を偏向することができるため、左前方や右前方にいる人に対して十分な風を送ることができる。
【００３４】
また、様々な扇風機の前面保護カバーの形状に対して容易に取り付けが可能であるため、特定の扇風機に対する付属品としてのみしか利用できないものではなく、むしろ汎用的に利用可能であり、そのため、扇風機用気流制御装置として単独に販売可能である。
【００３５】
さらに、扇風機の前面保護カバーに対して、取り付け位置を容易に変更できるため、人の位置に対して最適な方向に風向方向を変えることができる。特に、実施の形態２に係る扇風機用気流制御装置は、側面フック９ａ、９ｂを扇風機の前面保護カバーの放射線状梁の内、水平方向に伸びた梁に掛けることができるため、その梁に沿って水平方向に任意の位置に扇風機用気流制御装置１０を動かすことが可能であり、さらに細かな風向制御を極めて簡単な操作で行うことができる。
【符号の説明】
【００３６】
１、１０  扇風機用気流制御装置
２  第一の導流管
２ａ、２ｂ、２ｃ  導流路
３  第二の導流管
３ａ、３ｂ、３ｃ  導流路
４  第三の導流管
４ａ、４ｂ、４ｃ  導流路
５  第一の結合部
６  第二の結合部
７  上部フック
８ａ、８ｂ、９ａ、９ｂ  側面フック
【図１】
0003179067.tif 000003
【図２】
0003179067.tif 000004
【図３】
0003179067.tif 000005
【図４】
0003179067.tif 000006
【図５】
0003179067.tif 000007
【図６】
0003179067.tif 000008
【図７】
0003179067.tif 000009
【図８】
0003179067.tif 000010